(57)【要約】【課題】プラズマディスプレイパネルの駆動方式においてより細かい階調を表現して画質の向上を図るプラズマディスプレイパネル、プラズマディスプレイパネルの駆動装置、プラズマディスプレイ装置及びプラズマディスプレイ装置の駆動方法を提供する。【解決手段】本発明の第１の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極及び前記維持電極のうちどちらか一方の電極にのみ維持パルスを印加するように前記電極駆動部を制御する維持パルス制御部と、を備える。【選択図】図５
2006301571.tif 000002
【特許請求の範囲】
【請求項１】
走査電極及び維持電極を含むプラズマディスプレイパネルと、
前記走査電極及び前記維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極及び前記維持電極のうちどちらか一方の電極にのみ維持パルスを印加するように前記電極駆動部を制御する維持パルス制御部と、を備えるプラズマディスプレイ装置。
【請求項２】
走査電極及び維持電極を含むプラズマディスプレイパネルと、
前記走査電極及び前記維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドは、維持期間に前記走査電極及び前記維持電極がグランドレベルに保持されるように前記電極駆動部を制御する維持パルス制御部と、を備えるプラズマディスプレイ装置。
【請求項３】
走査電極及び維持電極を含むプラズマディスプレイパネルと、
前記走査電極及び前記維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極または維持電極に印加される維持パルスの第１の幅が他のサブフィールドの維持期間に印加される維持パルスの第２の幅よりも狭いように前記電極駆動部を制御する維持パルス制御部と、を備えるプラズマディスプレイ装置。
【請求項４】
走査電極及び維持電極を含むプラズマディスプレイパネルと、
前記走査電極及び前記維持電極を駆動するためのそれぞれの電極駆動部と、
前記電極駆動部が１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の電圧が他のサブフィールドの維持期間に印加される維持パルスの第２の電圧よりも低いように前記電極駆動部を制御する維持パルス制御部と、を備えるプラズマディスプレイ装置。
【請求項５】
走査電極及び維持電極を含むプラズマディスプレイパネルと、
前記走査電極及び前記維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に、前記走査電極または維持電極に印加される維持パルスの第１の勾配が他のサブフィールドの維持期間に印加される維持パルスの第２の勾配よりも小さいように前記電極駆動部を制御する維持パルス制御部と、を備えるプラズマディスプレイ装置。
【請求項６】
前記各フレームの間には所定の長さを有する休止期間がさらに含まれ、前記フレームのサブフィールド群は、同じフレーム内において連続していることを特徴とする請求項１ないし５のいずれかに記載のプラズマディスプレイ装置。
【請求項７】
前記各フレームの間には所定の長さを有する第１の休止期間が含まれ、同じフレーム内における前記サブフィールド群の間には、所定の長さを有する第２の休止期間が含まれることを特徴とする請求項１ないし５のいずれかに記載のプラズマディスプレイ装置。
【請求項８】
前記第１の休止期間と前記第２の休止期間の長さは互いに同じであることを特徴とする請求項７記載のプラズマディスプレイ装置。
【請求項９】
前記複数のサブフィールド群はそれぞれ複数のサブフィールドを含み、前記複数のサブフィールド群は、各群内において、サブフィールドが、階調値の増加順に従って配列されていることを特徴とする請求項１ないし５のいずれかに記載のプラズマディスプレイ装置。
【請求項１０】
前記複数のサブフィールド群はそれぞれ複数のサブフィールドを含み、前記複数のサブフィールド群は、各群内において、サブフィールドが、階調値の減少順に従って配列されていることを特徴とする請求項１ないし５のいずれかに記載のプラズマディスプレイ装置。
【請求項１１】
前記フレームは２つのサブフィールド群に分けられ、前記２つのサブフィールド群はそれぞれ複数のサブフィールドを含み、前記２つのサブフィールド群は、各サブフィールド群内において、サブフィールドが、相異なる階調値の大きさに従って配列されることを特徴とする請求項１ないし５のいずれかに記載のプラズマディスプレイ装置。
【請求項１２】
前記２つのサブフィールド群のうちどちらか一方は、各群内においてサブフィールドが階調値の増加順に従って配列されていることを特徴とする請求項１１記載のプラズマディスプレイ装置。
【請求項１３】
前記２つのサブフィールド群のうちどちらか一方は、各群内においてサブフィールドが階調値の減少順に従って配列されていることを特徴とする請求項１１記載のプラズマディスプレイ装置。
【請求項１４】
前記２つのサブフィールド群のうちどちらか一方は、各群内においてサブフィールドが階調値の減少順に従って配列され、前記２つのサブフィールド群のうちどちらか一方は、各群内において、サブフィールドが、階調値の増加順に従って配列されることを特徴とする請求項１１記載のプラズマディスプレイ装置。
【請求項１５】
前記維持パルス制御部は、前記維持パルスの第１の幅を３μｓ以下に調節することを特徴とする請求項３記載のプラズマディスプレイ装置。
【請求項１６】
前記維持パルス制御部は、前記第１の幅を有する維持パルスを走査電極及び維持電極のうちどちらか一方の電極にのみ印加することを特徴とする請求項３または１５記載のプラズマディスプレイ装置。
【請求項１７】
前記維持パルス制御部は、前記維持パルスの第１の電圧を保持電圧Ｖｓよりも低めることを特徴とする請求項４記載のプラズマディスプレイ装置
【請求項１８】
前記維持パルス制御部は、前記第１の電圧を有する維持パルスを走査電極及び維持電極のうちどちらか一方の電極にのみ印加することを特徴とする請求項４または１７記載のプラズマディスプレイ装置。
【請求項１９】
前記維持パルス制御部は、前記維持パルスの第１の勾配を５０Ｖ／μｓ以下にすることを特徴とする請求項５記載のプラズマディスプレイ装置。
【請求項２０】
前記維持パルス制御部は、前記第１の勾配を有する維持パルスを走査電極及び維持電極のうちどちらか一方の電極にのみ印加することを特徴とする請求項５または１９記載のプラズマディスプレイ装置。
【請求項２１】
走査電極及び維持電極を含むプラズマディスプレイパネルを駆動する駆動装置において、
前記走査電極及び維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極及び維持電極のうちどちらか一方の電極にのみ維持パルスを印加するように前記電極駆動部を制御する維持パルス制御部と、を備えるプラズマディスプレイパネルの駆動装置。
【請求項２２】
走査電極及び維持電極を含むプラズマディスプレイパネルを駆動する駆動装置において、
前記走査電極及び維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極及び維持電極がグランドレベルに保持されるように前記電極駆動部を制御する維持パルス制御部と、を備えるプラズマディスプレイパネルの駆動装置。
【請求項２３】
走査電極及び維持電極を含むプラズマディスプレイパネルを駆動する駆動装置において、
前記走査電極及び維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極または維持電極に印加される維持パルスの第１の幅が他のサブフィールドの維持期間に印加される維持パルスの第２の幅よりも狭いように前記電極駆動部を制御する維持パルス制御部と、を備えるプラズマディスプレイパネルの駆動装置。
【請求項２４】
走査電極及び維持電極を含むプラズマディスプレイパネルを駆動する駆動装置において、
前記走査電極及び維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に前記走査電極または維持電極に印加される維持パルスの第１の電圧が他のサブフィールドの維持期間に印加される維持パルスの第２の電圧よりも低いように前記電極駆動部を制御する維持パルス制御部と、を備えるプラズマディスプレイパネルの駆動装置。
【請求項２５】
走査電極及び維持電極を含むプラズマディスプレイパネルを駆動する駆動装置において、
前記走査電極及び維持電極を駆動するためのそれぞれの電極駆動部と、
前記電極駆動部が１フレームを少なくとも１以上のサブフィールドを含む複数のサブフィールド群に分け、前記サブフィールド群のうち少なくとも何れ１つのサブフィールドの維持期間に、前記走査電極または維持電極に印加される維持パルスの第１の勾配が他のサブフィールドの維持期間に印加される維持パルスの第２の勾配よりも小さいように前記電極駆動部を制御する維持パルス制御部と、を備えるプラズマディスプレイパネルの駆動装置。
【請求項２６】
走査電極及び維持電極を含むプラズマディスプレイパネルにおいて、
１フレームを少なくとも１以上のサブフィールドを含む複数のサブフィールド群に分け、前記サブフィールド群のうち少なくとも１つのサブフィールドの維持期間に前記走査電極及び維持電極のうちどちらか一方の電極にのみ維持パルスが印加されることを特徴とするプラズマディスプレイパネル。
【請求項２７】
走査電極及び維持電極を含むプラズマディスプレイパネルにおいて、
１フレームを少なくとも１以上のサブフィールドを含む複数のサブフィールド群に分け、前記サブフィールド群のうち少なくとも何れ１つのサブフィールドの維持期間に前記走査電極及び維持電極がグランドレベルに保持されることを特徴とするプラズマディスプレイパネル。
【請求項２８】
走査電極及び維持電極を含むプラズマディスプレイパネルにおいて、
１フレームを少なくとも１以上のサブフィールドを含む複数のサブフィールド群に分け、前記サブフィールド群のうち少なくとも何れ１つのサブフィールドの維持期間に前記走査電極または維持電極に印加される維持パルスの第１の幅が他のサブフィールドの維持期間に印加される維持パルスの第２の幅よりも狭いことを特徴とするプラズマディスプレイパネル。
【請求項２９】
走査電極及び維持電極を含むプラズマディスプレイパネルにおいて、
１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の電圧が他のサブフィールドの維持期間に印加される維持パルスの第２の電圧よりも低いことを特徴とするプラズマディスプレイパネル。
【請求項３０】
走査電極及び維持電極を含むプラズマディスプレイパネルにおいて、
１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の勾配が他のサブフィールドの維持期間に印加される維持パルスの第２の勾配よりも小さいことを特徴とするプラズマディスプレイパネル。
【請求項３１】
１フレームを少なくとも１以上のサブフィールドを含む複数のサブフィールド群に分けてプラズマディスプレイ装置を駆動する方法において、
前記サブフィールド群のうち少なくとも１つのサブフィールドの維持期間に走査電極及び維持電極のうちどちらか一方の電極にのみ維持パルスを印加することを特徴とするプラズマディスプレイ装置の駆動方法。
【請求項３２】
１フレームを少なくとも１以上のサブフィールドを含む複数のサブフィールド群に分けてプラズマディスプレイ装置を駆動する方法において、
前記サブフィールド群のうち少なくとも１つのサブフィールドの維持期間に走査電極及び維持電極をグランドレベルに保持することを特徴とするプラズマディスプレイ装置の駆動方法。
【請求項３３】
１フレームを少なくとも１以上のサブフィールドを含む複数のサブフィールド群に分けてプラズマディスプレイ装置を駆動する方法において、
前記サブフィールド群のうち少なくとも１つのサブフィールドの維持期間に走査電極または維持電極に印加される維持パルスの第１の幅を他のサブフィールドの維持期間に印加される維持パルスの第２の幅よりも狭めることを特徴とするプラズマディスプレイ装置の駆動方法。
【請求項３４】
１フレームを少なくとも１以上のサブフィールドを含む複数のサブフィールド群に分けてプラズマディスプレイ装置を駆動する方法において、
前記サブフィールド群のうち少なくとも１つのサブフィールドの維持期間に走査電極または維持電極に印加される維持パルスの第１の電圧を他のサブフィールドの維持期間に印加される維持パルスの第２の電圧よりも低めることを特徴とするプラズマディスプレイ装置の駆動方法。
【請求項３５】
１フレームを少なくとも１以上のサブフィールドを含む複数のサブフィールド群に分けてプラズマディスプレイ装置を駆動する方法において、
前記サブフィールド群のうち少なくとも何れ１つのサブフィールドの維持期間に走査電極または維持電極に印加される維持パルスの第１の勾配を他のサブフィールドの維持期間に印加される維持パルスの第２の勾配よりも小さくすることを特徴とするプラズマディスプレイ装置の駆動方法。
【発明の詳細な説明】
【技術分野】
【０００１】
本発明は、プラズマディスプレイパネル、プラズマディスプレイパネルの駆動装置、プラズマディスプレイ装置及びプラズマディスプレイ装置の駆動方法に関する。
【背景技術】
【０００２】
一般に、プラズマディスプレイパネル（Plasma Display Panel：以下、「ＰＤＰ」という）は、Ｈｅ＋ＸｅまたはＮｅ＋Ｘｅを含む不活性混合ガスの放電時に発生する１４７ｎｍの紫外線によって蛍光体を発光させることにより、文字またはグラフィックを含む画像を表示する。
【０００３】
図１は、従来のマトリックス形態に配列された放電セル構造を有する３電極交流面放電型ＰＤＰの構造を示す斜視図である。図１を参照すれば、３電極交流面放電型ＰＤＰ１００は、上基板１０上に形成されれた走査電極１１ａ及び維持電極１２ａと、下基板２０上に形成されられたアドレス電極２２と、を備える。走査電極１１ａと維持電極１２ａのそれぞれは透明電極、例えばインジウムスズ酸化物(Indium-Tin-Oxide：ＩＴＯ)からなる。走査電極１１ａと維持電極１２ａのそれぞれには抵抗低減用の金属バス電極１１ｂ，１２ｂが形成される。走査電極１１ａと維持電極１２ａが形成された上基板１０には上部誘電体層１３ａと保護膜１４が積層される。上部誘電体層１３ａにはプラズマ放電時に発生した壁電荷が蓄積される。保護膜１４は、プラズマ放電時に発生したスパッタリングによる上部誘電体層１３ａの損傷を防止し、さらに２次電子の放出効率を高める。保護膜１４は通常酸化マグネシウムＭｇＯよりなる。
【０００４】
一方、アドレス電極２２が形成された下基板２０上には下部誘電体層１３ｂと隔壁２１が形成され、下部誘電体層１３ｂと隔壁２１の表面には蛍光体層２３が塗布される。アドレス電極２２は、走査電極１１ａ及び維持電極１２ａと交差する方向に形成される。隔壁２１は、アドレス電極２２に並んで形成され、放電によって生成された紫外線及び可視光が隣り合う放電セルに漏洩することを防止する。蛍光体層２３は、プラズマ放電時に発生した紫外線によって励起されて赤色Ｒ、緑Ｇ及び青色ｂのうちいずれか１つの可視光線を発生する。上基板１０と下基板２０との間の隔壁２１によって区画された放電セルの放電空間には、放電のためのＨｅ＋ＸｅまたはＮｅ＋Ｘｅなどの不活性混合ガスが注入される。上記の構造を有する従来のＰＤＰの駆動方法を説明すると、図２のとおりである。
【０００５】
図２は、従来のＰＤＰの駆動方法を説明するための駆動波形を示す図である。
【０００６】
図２を参照すれば、従来のＰＤＰは、全画面を初期化するためのリセットＲＥＳＥＴ期間と、セルを選択するためのアドレスＡＤＤＲＥＳＳ期間と、選択済みセルの放電を保持するための維持ＳＵＳＴＡＩＮ期間と、選択済みセル内に残留する壁電荷を除去するための消去ＥＲＡＳＥ期間とに分けられて駆動される。先ず、リセットＲＥＳＥＴ期間には、高い正のリセットパルスＲＳＴが維持電極Ｚに供給されて全画面のセル内にリセット放電を起こす。このリセット放電により、全画面のセルは壁電荷が均一に蓄積され、均一な放電特性を有するようになる。
【０００７】
アドレスＡＤＤＲＥＳＳ期間には、アドレス電極ＸにデータパルスＤＡＴＡが供給され、そのデータパルスＤＡＴＡに同期するべく走査電極Ｙに順次に走査パルス−ＳＣＮが供給される。これにより、アドレス電極Ｘ及び走査電極Ｙは、データパルスＤＡＴＡと走査パルス−ＳＣＮによる電圧差とセル内の壁電圧が加えられることにより、データパルスＤＡＴＡが印加されたセルではアドレス放電が起こる。
【０００８】
維持ＳＵＳＴＡＩＮ期間には、走査電極Ｙと維持電極Ｚのそれぞれに一回ずつ維持パルスが供給される。これにより、アドレス期間で選択されたセルはでは、維持パルスと内部壁電圧が加えられることにより、各維持パルス毎に放電が起こる。その後、消去ＥＲＡＳＥ期間には、すべての走査電極Ｙにランプ波形の消去パルスｅｒａｓｅが供給される。このような消去パルスは、維持放電を消去して全画面のセル内に所定量の壁電荷を均一に形成させる。
【０００９】
一方、前記図２のような駆動波形により駆動されるプラズマディスプレイパネルは、通常ちらつき、すなわちフリッカー(Flicker)が生じるという不具合がある。
【００１０】
フリッカは、一般的に映像信号の垂直周波数（Frame周波数）よりも蛍光体の残光時間が短い場合に発生する現象のことで、例えば、垂直周波数が６０Ｈｚであると仮定すると、１６．６７ｍ／ｓｅｃ当たり１つのフレームの映像を表示するようになるが、この際、蛍光体の反応速度がこれよりも速いため、画面が画面全体が明滅して見え、その結果、画質の低下をもたらす。
【００１１】
特に、前記の如く、ＰＡＬ(Phase Alternating Line)方式ではその垂直周波数が５０Ｈｚで相対的に低いためフリッカがさらに目立つという問題点がある。よって、このようなＰＡＬ方式では、１つのフレーム内においてサブフィールドの配列を複数の段階にすることにより、前記のフリッカの低減を図った。
【００１２】
図３は、従来のＰＡＬ方式のプラズマディスプレイパネルの画像を具現するためのサブフィールドの配列を説明するための図である。図３を参照すれば、従来のＰＡＬ方式では１つのフレーム内において相異なる加重値を有するサブフィールドを複数個、好ましくは、２つの群に分けて配列した。例えば、第１のサブフィールド群では加重値１のサブフィールド、加重値１６のサブフィールド、加重値３２のサブフィールド及び加重値６４のサブフィールドを含み、第２のサブフィールド群では加重値２のサブフィールド、加重値４のサブフィールド、２つの加重値８のサブフィールド、加重値１６のサブフィールド、加重値３２のサブフィールド及び加重値６４のサブフィールドを含む。
【００１３】
このように配列された１つのフレーム内における各サブフィールドの加重値の和、すなわち、階調値の和は１＋２＋４＋８＋８＋８＋１６＋１６＋３２＋３２＋６４＋６４、すなわち２５５となる。結局、２５６階調を具現することができる。
【００１４】
このように１つのフレーム内においてサブフィールドの配列を２段階にしてプラズマディスプレイパネルを駆動させるＰＡＬ方式を採用すると、フリッカーの発生を低減することができる。
【００１５】
一方、ＰＤＰの階調表現方法によれば、図４に示すように、１フレームを発光回数の異なる複数のサブフィールドに分けて駆動し、さらに各サブフィールドを放電を均一に起こすためのリセット期間と、放電セルを選択するためのアドレス期間と、放電回数により階調を具現する維持期間とに分けて表現する。例えば、２５６階調で画像を表示しようとする場合、１／６０秒に該当するフレーム期間（１６．６７ｍｓ）は８つのサブフィールドで分けられ、さらに８つのサブフィールドのそれぞれはアドレス期間と維持期間とに分けられる。ここで、各サブフィールドのリセット期間及びアドレス期間は各サブフィールド毎に同じであり、一方、維持期間は各サブフィールドにおいて２ｎ（ｎ＝０,１,２,３,４,５,６,７）の割合で増加する。
【００１６】
以上、従来のＰＤＰの画像階調は、各サブフィールドの維持期間で発生する放電回数の調節により階調を表現するが、より正確には各サブフィールドに与えられる輝度加重値によって階調が表現される。すなわち、第１のサブフィールドＳＦ１の最低の輝度加重値が２０に設定されると、上述した従来のＰＤＰ駆動方法と同様にして第１のサブフィールドＳＦ１のアドレス期間にはアドレス電極Ｘにデータパルスが供給され、そのデータパルスに同期するべく走査電極Ｙに走査パルスが順次に供給される。このようなデータパルスと走査パルス間の電圧差とセル内の壁電圧が加えられることにより、データパルスが印加されたセルではアドレス放電が起こるようになる。このとき、第１のサブフィールドＳＦ１の維持期間には輝度加重値‘２０'に対応する維持パルスが供給され、その結果、アドレス期間で選択されたセルは、維持パルスと内部壁電圧が加えられることにより、放電が発生して階調を表現するようになる。
【００１７】
しかし、かかる従来のＰＤＰ階調表現方法は、輝度加重値が２０以下、すなわち１以下の階調を表現することができないという問題点がある。すなわち、従来のＰＤＰは、各サブフィールド毎に自然数の輝度加重値にそれぞれ設定されており、自然数の輝度加重値が設定されたサブフィールドの組み合わせによって生じた輝度加重値も自然数値となる。したがって、従来のＰＤＰ階調表現方法は、自然数以下の細かい階調を表現できなくなり、このため、画質の向上面で限界がある。
【００１８】
特に、ＰＡＬ(Phase Alternating Line)方式では、前述の如く、低階調値を有するサブフィールドの数が増加する。この点から、多数の低階調値を有するサブフィールドを有して駆動するＰＡＬ(Phase Alternating Line)方式は、従来の１フレームを６０Ｈｚ方式で駆動する場合よりも自然数以下の細かい階調を表現できなくなることがわかる。
【発明の開示】
【発明が解決しようとする課題】
【００１９】
したがって、本発明は、上記事情に鑑みてなされたものであり、その目的は、プラズマディスプレイパネルのＰＡＬ(PhaseAlternatingLine)駆動方式においてより細かい階調を表現して画質の向上を図るプラズマディスプレイパネル、プラズマディスプレイパネルの駆動装置、プラズマディスプレイ装置及びプラズマディスプレイ装置の駆動方法を提供することにある。
【課題を解決するための手段】
【００２０】
本発明の第１の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極及び前記維持電極のうちどちらか一方の電極にのみ維持パルスを印加するように前記電極駆動部を制御する維持パルス制御部と、を備える。
【００２１】
本発明の第２の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドは、維持期間に前記走査電極及び前記維持電極がグランドレベルに保持されるように前記電極駆動部を制御する維持パルス制御部と、を備える。
【００２２】
本発明の第３の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の幅が他のサブフィールドの維持期間に印加される維持パルスの第２の幅よりも狭いように前記電極駆動部を制御する維持パルス制御部と、を備える。
【００２３】
本発明の第４の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の電圧が他のサブフィールドの維持期間に印加される維持パルスの第２の電圧よりも低いように前記電極駆動部を制御する維持パルス制御部と、を備える。
【００２４】
本発明の第５の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に、前記走査電極または維持電極に印加される維持パルスの第１の勾配が他のサブフィールドの維持期間に印加される維持パルスの第２の勾配よりも小さいように前記電極駆動部を制御する維持パルス制御部と、を備える。
【発明の効果】
【００２５】
本発明は、ＰＡＬ(Phase Alternating Line)駆動方式において自然数以下の輝度加重値をサブフィールドに与えることでより細かい階調を表現することができ、その結果、プラズマディスプレイパネルの画質を向上させることができる。
【発明を実施するための最良の形態】
【００２６】
以下、添付図を参照して本発明の実施例をより詳しく説明する。
【００２７】
本発明の第１の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極及び前記維持電極のうちどちらか一方の電極にのみ維持パルスを印加するように前記電極駆動部を制御する維持パルス制御部と、を備える。
【００２８】
前記各フレームの間には所定の長さを有する休止期間がさらに含まれ、前記フレームのサブフィールド群は、同じフレーム内において連続していることを特徴とする。
【００２９】
前記各フレームの間には所定の長さを有する第１の休止期間が含まれ、同じフレーム内における前記サブフィールド群の間には、所定の長さを有する第２の休止期間が含まれることを特徴とする。
【００３０】
前記第１の休止期間と前記第２の休止期間の長さは互いに同じであることを特徴とする。
【００３１】
前記複数のサブフィールド群はそれぞれ複数のサブフィールドを含み、前記複数のサブフィールド群は、各群内において、サブフィールドが、階調値の増加順に従って配列されていることを特徴とする。
【００３２】
前記複数のサブフィールド群はそれぞれ複数のサブフィールドを含み、前記複数のサブフィールド群は、各群内において、サブフィールドが、階調値の減少順に従って配列されていることを特徴とする。
【００３３】
前記フレームは２つのサブフィールド群に分けられ、前記２つのサブフィールド群はそれぞれ複数のサブフィールドを含み、前記２つのサブフィールド群は、各サブフィールド群内において、サブフィールドが、相異なる階調値の大きさに従って配列されることを特徴とする。
【００３４】
前記２つのサブフィールド群のうちどちらか一方は、各群内においてサブフィールドが階調値の増加順に従って配列されていることを特徴とする。
【００３５】
前記２つのサブフィールド群のうちどちらか一方は、各群内においてサブフィールドが階調値の減少順に従って配列されていることを特徴とする。
【００３６】
前記２つのサブフィールド群のうちどちらか一方は、各群内においてサブフィールドが階調値の減少順に従って配列され、前記２つのサブフィールド群のうちどちらか一方は、各群内において、サブフィールドが、階調値の増加順に従って配列されることを特徴とする。
【００３７】
以下、本発明の第１の実施例に係るプラズマディスプレイ装置及びその駆動方法について添付図を参照して詳しく説明する。
【００３８】
＜第１の実施例＞
図５は、本発明の第１の実施例に係るプラズマディスプレイ装置を示す図である。図５を参照すれば、本発明の第１の実施例に係るプラズマディスプレイ装置は、走査電極Ｙ１〜Ｙｎ及び維持電極Ｚと、前記走査電極及び維持電極Ｚと交差する複数のアドレス電極Ｘ１〜Ｘｍを含むプラズマディスプレイパネル１００と、プラズマディスプレイパネル１００の下基板（図示せず）に形成されたアドレス電極Ｘ１〜Ｘｍにデータを供給するためのデータ駆動部１２２と、走査電極Ｙ１〜Ｙｎを駆動するための走査駆動部１２３と、共通電極である維持電極Ｚを駆動するための維持駆動部１２４と、最低階調を表示するためのサブフィールドで維持パルスの個数を調節する維持パルス制御部１２６と、プラズマディスプレイパネルの駆動時にデータ駆動部１２２、走査駆動部１２３、維持駆動部１２４及び維持パルス制御部１２６を制御するためのタイミング制御部１２１と、それぞれの駆動部１２２，１２３，１２４に必要な駆動電圧を供給するための駆動電圧発生部１２５と、を備える。
【００３９】
このような構造を有する本発明の第１の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１つ以上のサブフィールドの組み合わせによってフレームよりなる画像を表現するが、このとき、フレームを複数のサブフィールド群に分け、複数のサブフィールド群によりそれぞれの駆動部１２２，１２３，１２４を制御し、複数のサブフィールド群のうち少なくとも１つのサブフィールドの維持期間に走査電極Ｙ１〜Ｙｎ及び維持電極のうちどちらか一方の電極にのみ維持パルスを印加する。
【００４０】
ここで、プラズマディスプレイパネル１００は、上基板（図示せず）と下基板（図示せず）が所定の間隔を開けて配置されており、上基板には多数の電極、例えば走査電極Ｙ１〜Ｙｎ及び維持電極Ｚが対をなして配設されており、下基板には走査電極Ｙ１〜Ｙｎ及び維持電極Ｚと交差するアドレス電極Ｘ１〜Ｘｍが配設されている。
【００４１】
データ駆動部１２２には、図示しない逆γ補正回路、誤差拡散回路などにより逆γ補正及び誤差拡散された後、サブフィールドマッピング回路により各サブフィールドにマッピングされたデータが供給される。このようなデータ駆動部１２２は、タイミング制御部１２１からのタイミング制御信号ＣＴＲＸに応答してデータをサンプリングしてラッチした後、そのデータをアドレス電極Ｘ１〜Ｘｍに供給する。
【００４２】
走査駆動部１２３は、タイミング制御部１２１の制御下でアドレス期間中に走査電圧−Ｖｙの走査パルスＳｐを走査電極Ｙ１〜Ｙｎに順次に供給する。維持期間中には維持駆動部１２４と交互に動作して維持パルスｓｕｓを走査電極Ｙ１〜Ｙｎに供給する。
【００４３】
維持駆動部１２４は、タイミング制御部１２１の制御下でリセット期間中にリセットｒｅｓｅｔ波形が維持電極Ｚに供給される。また、アドレス期間中には所定のバイアス電圧が印加され、維持期間中には走査駆動部１２３と交互に動作して維持パルスｓｕｓが維持電極Ｚに供給され、消去期間中にはランプ波形のような消去ｅｒａｓｅ波形が維持電極Ｚに供給される。
【００４４】
一方、走査駆動部１２３及び維持駆動部１２４が動作する維持期間中には、輝度加重値によって、すなわち階調値によって後述する維持パルス制御部１２６により維持パルスｓｕｓが走査電極Ｙ１〜Ｙｎまたは維持電極Ｚに交互に供給されるが、好ましくは、最低階調を表示するサブフィールドの維持期間中には走査電極Ｙ１〜Ｙｎ及び維持電極Ｚのうちどちらか一方の電極にのみ維持パルスｓｕｓが供給される。ここで、最低階調とは、プラズマディスプレイ装置を多数のサブフィールドに分けて駆動するとき、各サブフィールド毎に輝度加重値を設定し、階調の表現時に最低の輝度加重値を有するサブフィールドにおける階調値を意味する。より正確には、所定のサブフィールドの維持期間に小数の階調を表示できる、２０以下の輝度加重値を有する維持パルスが供給されることにより示された階調のことである。
【００４５】
維持パルス制御部１２６は、各サブフィールドにマッピングされたデータの階調値によってタイミング制御部１２１の制御信号に応答して維持期間に供給される維持パルスを調節する。すなわち、多数のサブフィールドのうち最低階調を表示するサブフィールドの維持期間中には、残りの他の階調を表示するサブフィールドの維持期間中に維持パルスを走査電極Ｙ１〜Ｙｎ及び維持電極Ｚに印加することとは異なり、走査電極Ｙ１〜Ｙｎ及び維持電極Ｚのうちどちらか一方の電極にのみ維持パルスが印加されうように制御する。このような維持パルス制御部１３６は、走査駆動部１３３または維持駆動部１３４に内設できる。
【００４６】
タイミング制御部１２１は、垂直／水平同期信号とクロック信号を入力されてリセット期間、アドレス期間、維持期間で各駆動部１２２，１２３，１２４と維持パルス制御部１２６の動作タイミングと同期化を制御するためのタイミング制御信号ＣＴＲＸ、ＣＴＲＹ、ＣＴＲＺ、ＣＴＲＥＲＳ１を発生し、そのタイミング制御信号ＣＴＲＸ、ＣＴＲＹ、ＣＴＲＺ、ＣＴＲＥＲＳ１を該当駆動部１２２，１２３，１２４と維持パルス制御部１２６に供給することで各駆動部及び制御部１２２，１２３，１２４，１２６を制御する。
【００４７】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１２３内のエネルギー回収回路と駆動スィッチ素子のＯＮ／ＯＦＦタイムを制御するためのスィッチ制御信号が含まれ、維持制御信号ＣＴＲＺには、維持駆動部１２４内のエネルギー回収回路と駆動スィッチ素子のＯＮ／ＯＦＦタイムを制御するためのスィッチ制御信号が含まれる。
【００４８】
駆動電圧発生部１２５は、リセット電圧Ｖｒｅｓｅｔ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セル構造によって変わることができる。
【００４９】
図６は、本発明の第１の実施例に係るプラズマディスプレイ装置の駆動方法を説明するための図である。図６を参照して本発明の第１の実施例に係るプラズマディスプレイパネルの駆動方法を説明すると、（ａ）に示すように、１フレームは１つ以上のサブフィールドを含む複数のサブフィールド群に分けられ、各サブフィールド群の間には所定の長さを有する休止期間が含まれ、サブフィールド群はリセット期間、アドレス期間、維持期間及び消去期間をそれぞれ含む多数のサブフィールドＳＦ１，ＳＦ２，ＳＦ３，ＳＦ４，．．．に時分割される。このように時分割された各サブフィールドはそれぞれ所定の輝度加重値を有するように設定される。詳しくは、各サブフィールド群において最低の輝度加重値を有するサブフィールドＳＦ１，ＳＦ８から供給される維持パルスの数は、他の輝度加重値を有するサブフィールドＳＦ２，ＳＦ３，ＳＦ４，．．．，ＳＦ９，ＳＦ１０，ＳＦ１１，．．．から供給される維持パルスの数と異ならせて供給される。例えば、１フレームが第１のサブブフィールド群と第２のサブフィールド群に分けられて駆動されるとき、各サブフィールドでは（ｂ）のように駆動される。
【００５０】
−第１のサブブフィールド群−
（第１のサブブフィールド）
先ず、第１のサブブフィールドＳＦ１のリセット期間には、高い正のリセットパルスまたは所定の勾配を有するランプ信号状のセットアップ／セットダウンパルス（図示せず）が維持電極Ｚに供給されて全画面のセル内でリセット放電を起こす。リセット放電により、全画面のセルは壁電荷が均一に蓄積され、均一な放電特性を有するようになる。
【００５１】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【００５２】
維持期間には、走査電極Ｙまたは維持電極Ｚに維持パルスＳＵＳが交互に供給できるが、好ましくは、図示のように、小数の階調値を有するべく走査電極Ｙ及び維持電極Ｚのうちどちらか一方の電極にのみ維持パルスが供給される。
【００５３】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【００５４】
（第２のサブフィールド）
第２のサブフィールドＳＦ２のアドレス期間は、第１のサブブフィールドのアドレス期間と同様にして行われる。ただし、維持期間には、第１のサブブフィールドと同様にして走査電極Ｙまたは維持電極Ｚに維持パルスＳＵＳが交互に供給される。また、消去期間には、第１のサブブフィールドで印加される消去パルスが走査電極Ｙに供給される。
【００５５】
（第３，４，５，６，７のサブフィールド）
第３，４，５，６，７のサブフィールドＳＦ３，ＳＦ４，ＳＦ５，ＳＦ６，ＳＦ７のアドレス期間は、第１のサブブフィールドのアドレス期間と同様にして行われる。また、維持期間には、第２のサブフィールドと同様にして走査電極Ｙまたは維持電極Ｚに維持パルスＳＵＳが交互に供給され、消去期間には第２のサブフィールドと同様にして走査電極Ｙに消去パルスが供給される。
【００５６】
−第２のサブフィールド群−
（第８のサブフィールド）
第８のサブフィールドＳＦ８のリセット期間には、第１のサブブフィールド群の第１のサブブフィールドと同様にして高い正のリセットパルスまたは所定の勾配を有するランプ信号状のセットアップ／セットダウンパルス（図示せず）が、維持電極Ｚに供給されて全画面のセル内でリセット放電を起こす。リセット放電により、全画面のセルは壁電荷が均一に蓄積され、均一な放電特性を有するようになる。
【００５７】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【００５８】
維持期間には、走査電極Ｙまたは維持電極Ｚに維持パルスＳＵＳが交互に供給できるが、好ましくは、図示のように、小数の階調値を有するように走査電極Ｙ及び維持電極Ｚのうちどちらか一方の電極にのみ維持パルスが供給される。
【００５９】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにはランプ波形のような消去パルスｅｒａｓｅが供給される。
【００６０】
（第９のサブフィールド）
第９のサブフィールドＳＦ９のアドレス期間は、第８のサブフィールドのアドレス期間と同様にして行われる。ただし、維持期間には、第８のサブフィールドと同様にして走査電極Ｙまたは維持電極Ｚに維持パルスＳＵＳが交互に供給される。また、消去期間には、第８のサブフィールドで印加される消去パルスが走査電極Ｙに供給される。
【００６１】
（第１０，１１，１２，１３，１４のサブフィールド）
第１０，１１，１２，１３，１４のサブフィールドＳＦ１０，ＳＦ１１，ＳＦ１２，ＳＦ１３，ＳＦ１４のアドレス期間は、第８のサブフィールドのアドレス期間と同様にして行われる。また、維持期間には、第９のサブフィールドと同様にして走査電極Ｙまたは維持電極Ｚに維持パルスＳＵＳが交互に供給され、消去期間には第９のサブフィールドと同様にして走査電極Ｙに消去パルスが供給される。
【００６２】
このように駆動される本発明の第１の実施例に係るプラズマディスプレイ装置は、走査電極Ｙ及び維持電極Ｚのうちどちらか一方の電極にのみ維持パルスを印加するサブフィールドＳＦ１，ＳＦ９では、従来の走査電極及び維持電極に交互に維持パルスを印加するサブフィールドＳＦ３で生じる光による階調値よりもさらに小さな階調値を表現でき、これにより画質の向上を図ることができる。
【００６３】
一方、本発明の第１の実施例において同じフレームのサブフィールド群の間に含まれた休止期間にはいかなる光も放出せず、ビデオレコーダーまたはビデオゲームによって生成された信号のような水平ライン同期信号におけるバラツキを用いて非標準ビデオ信号を処理する。このとき、休止期間が含まれた同じフレーム内のサブフィールド群は休止期間なしに連続的に動作する。このような休止期間は前述の如く、各フレーム内のサブフィールド群間に存在することができるが、同時に各フレーム間に存在することもできる。すなわち，１つのフレームが第１のサブブフィールド群と第２のサブフィールド群を含むとき、第１のサブブフィールド群が動作する前と第２のサブフィールド群が動作した後のそれぞれに第１休止期間が含まれ、第１のサブブフィールド群と第２のサブフィールド群との間には第２休止期間が含まれる。このとき、第１休止期間及び第２休止期間の長さは非標準ビデオ信号の処理期間により変わるが、好ましくは、信号処理の効率化のために同じ長さに設定される。
【００６４】
また、本発明の第１の実施例においてフレーム内に含まれたサブフィールドの加重値は次の図７のように各種の形態に配列される。
【００６５】
すなわち、（ａ）の如く、１つのフレームは２つまたはその以上（図示せず）のサブフィールド群を含み、各サブフィールド群は、同じ群内において、サブフィールドが、加重値の増加順に従って配列される。すなわち、各群内において、サブフィールドが、階調値の増加順に従って配列される。または、（ｂ）の如く、１つのフレームは２つまたはその以上（図示せず）のサブフィールド群を含み、各サブフィールド群は、同じ群内において、サブフィールドが、加重値の減少順に従って配列される。すなわち、各群内において、サブフィールドが、階調値の減少順に従って配列される。
【００６６】
または、（ｃ）の如く、１つのフレームは２つまたはその以上（図示せず）のサブフィールド群を含み、各サブフィールド群は、同じ群内において、サブフィールドが、加重値の増加順または減少順に従って配列される。すなわち、サブフィールド群のうちいずれかの群内において、サブフィールドが、階調値で表現される加重値の増加順に従って配列されるか、または階調値で表現される加重値の減少順に従って配列される。
【００６７】
一方、図７の（ｃ）では、各サブフィールド群は、相異なる加重値を有するサブフィールド群内において、サブフィールドが、規則的に加重値の増加順または減少順に従って配列されているが、各サブフィールド群は、 サブフィールドが、ランダムな加重値に従ってランダムに配列されることもある。
【００６８】
このように各サブフィールド群内において、サブフィールドが、加重値の様々な配列順序に従って各種の形態に配列されることから、停止画、特に動画における疑似輪郭ノイズ(Contour Noise)を抑えることができ、画質の向上が図られる。
【００６９】
本発明の第２の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドは、維持期間に前記走査電極及び前記維持電極がグランドレベルに保持されるように前記電極駆動部を制御する維持パルス制御部と、を備える。
【００７０】
以下、本発明の第２の実施例に係るプラズマディスプレイ装置及びその駆動方法について添付図を参照して詳しく説明する。
【００７１】
＜第２の実施例＞
図８は、本発明の第２の実施例に係るプラズマディスプレイ装置を示す図である。図８を参照すれば、本発明の第２の実施例に係るプラズマディスプレイ装置は、走査電極Ｙ１〜Ｙｎ及び維持電極Ｚと、前記走査電極及び維持電極Ｚと交差する複数のアドレス電極Ｘ１〜Ｘｍを含むプラズマディスプレイパネル１００と、プラズマディスプレイパネル１００の下基板（図示せず）に形成されたアドレス電極Ｘ１〜Ｘｍにデータを供給するためのデータ駆動部１３２と、走査電極Ｙ１〜Ｙｎを駆動するための走査駆動部１３３と、共通電極である維持電極Ｚを駆動するための維持駆動部１３４と、最低階調を表示するためのサブフィールドで維持パルスを調節する維持パルス制御部１３６と、プラズマディスプレイパネル駆動時にデータ駆動部１３２、走査駆動部１３３、維持駆動部１３４及び維持パルス制御部１３６を制御するためのタイミング制御部１３１と、それぞれの駆動部１３２，１３３，１３４に必要な駆動電圧を供給するための駆動電圧発生部１３５と、を備える。
【００７２】
このような構造を有する本発明の第１の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１つ以上のサブフィールドの組み合わせによってフレームよりなる画像を表現するが、このとき、フレームを複数のサブフィールド群に分け、複数のサブフィールド群によりそれぞれの駆動部１３２，１３３，１３４を制御し、複数のサブフィールド群のうち少なくとも１つのサブフィールドの維持期間に走査電極Ｙ１〜Ｙｎ及び維持電極Ｚのうちどちらかにも維持パルスを印加しない。
【００７３】
ここで、プラズマディスプレイパネル１００は上基板（図示せず）と下基板（図示せず）が所定の間隔を開けて配置されており、上基板には多数の電極、例えば走査電極Ｙ１〜Ｙｎ及び維持電極Ｚが対をなして配設されており、下基板には走査電極Ｙ１〜Ｙｎ及び維持電極Ｚと交差するアドレス電極Ｘ１〜Ｘｍが配設されている。
【００７４】
データ駆動部１３２には、図示しない逆γ補正回路、誤差拡散回路などにより逆γ補正及び誤差拡散された後、サブフィールドマッピング回路により各サブフィールドにマッピングされたデータが供給される。このようなデータ駆動部１３２は、タイミング制御部１３１からのタイミング制御信号ＣＴＲＸに応答してデータをサンプリングしてラッチした後、そのデータをアドレス電極Ｘ１〜Ｘｍに供給する。
【００７５】
走査駆動部１３３は、タイミング制御部１３１の制御下でアドレス期間中に走査電圧−Ｖｙの走査パルスＳｐを走査電極Ｙ１〜Ｙｎに順次に供給する。維持期間中には維持駆動部１３４と交互に動作して維持パルスｓｕｓを走査電極Ｙ１〜Ｙｎに供給する。
【００７６】
維持駆動部１３４は、タイミング制御部１３１の制御下でリセット期間中にリセットｒｅｓｅｔ波形が維持電極Ｚに供給される。また、アドレス期間中には所定のバイアス電圧が印加され、維持期間中には走査駆動部１３３と交互に動作して維持パルスｓｕｓが維持電極Ｚに供給され、消去期間中にはランプ波形のような消去ｅｒａｓｅ波形が維持電極Ｚに供給される。
【００７７】
一方、走査駆動部１３３及び維持駆動部１３４が動作する維持期間中には、輝度加重値によって、すなわち階調値によって後述する維持パルス制御部１３６により維持パルスｓｕｓが走査電極Ｙ１〜Ｙｎまたは維持電極Ｚに交互に供給されるが、好ましくは、最低階調を表示するサブフィールドの維持期間中には走査電極Ｙ１〜Ｙｎ及び維持電極Ｚのうちどちらかにも維持パルスｓｕｓが供給されない。ここで、最低階調とは、プラズマディスプレイ装置を多数のサブフィールドに分けて駆動するとき、各サブフィールド毎に輝度加重値を設定し、階調の表現時に最低の輝度加重値を有するサブフィールドにおける階調値を意味する。
【００７８】
維持パルス制御部１３６は、各サブフィールドにマッピングされたデータの階調値によってタイミング制御部１３１の制御信号に応答して維持期間に供給される維持パルスを調節する。すなわち、多数のサブフィールドのうち最低階調を表示するサブフィールドの維持期間中には、残りの他の階調を表示するサブフィールドの維持期間中に維持パルスを走査電極Ｙ１〜Ｙｎ及び維持電極Ｚに印加することとは異なり、走査電極Ｙ１〜Ｙｎ及び維持電極Ｚのうちどちらかにも維持パルスが印加されないように制御する。すなわち、維持パルス制御部１３６は、走査電極Ｙ１〜Ｙｎ及び維持電極Ｚのいずれもグラウンドレベルの電圧を保持するように制御する。このような維持パルス制御部１３６は走査駆動部１３３または維持駆動部１３４に内設できる。
【００７９】
タイミング制御部１３１は、垂直／水平同期信号とクロック信号を入力され、リセット期間、アドレス期間、維持期間で各駆動部１３２，１３３，１３４と維持パルス制御部１３６の動作タイミングと同期化を制御するためのタイミング制御信号ＣＴＲＸ、ＣＴＲＹ、ＣＴＲＺ、ＣＴＲＥＲＳ２を発生し、そのタイミング制御信号ＣＴＲＸ、ＣＴＲＹ、ＣＴＲＺ、ＣＴＲＥＲＳ２を該当駆動部１３２，１３３，１３４と維持パルス制御部１３６に供給することで各駆動部及び制御部１３２，１３３，１３４，１３６を制御する。
【００８０】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１３３内のエネルギー回収回路と駆動スィッチ素子のＯＮ／ＯＦＦタイムを制御するためのスィッチ制御信号が含まれ、維持制御信号ＣＴＲＺには、維持駆動部１３４内のエネルギー回収回路と駆動スィッチ素子のＯＮ／ＯＦＦタイムを制御するためのスィッチ制御信号が含まれる。
【００８１】
駆動電圧発生部１３５は、リセット電圧Ｖｒｅｓｅｔ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セル構造によって変わることができる。
【００８２】
図９は、本発明の第２の実施例に係るプラズマディスプレイ装置の駆動方法を説明するための図である。図９を参照して本発明の第２の実施例に係るプラズマディスプレイパネルの駆動方法を説明すると、本発明の第１の実施例と同様にして、（ａ）に示すように、１フレームは１つ以上のサブフィールドを含む複数のサブフィールド群に分けられ、各サブフィールド群の間には所定の長さを有する休止期間が含まれ、サブフィールド群はリセット期間、アドレス期間、維持期間及び消去期間をそれぞれ含む多数のサブフィールドＳＦ１，ＳＦ２，ＳＦ３，ＳＦ４，．．．に時分割される。このように時分割された各サブフィールドはそれぞれ所定の輝度加重値を有するように設定される。詳しくは、各サブフィールド群において最低の輝度加重値を有するサブフィールドＳＦ１，ＳＦ８では維持パルスが供給されず、他の輝度加重値を有するサブフィールドＳＦ２，ＳＦ３，ＳＦ４，．．．，ＳＦ９，ＳＦ１０，ＳＦ１１，．．．では通常供給される維持パルスが調節されて供給される。例えば、１フレームが第１のサブブフィールド群と第２のサブフィールド群に分けられて駆動されるとき、各サブフィールドでは（ｂ）のように駆動される。
【００８３】
−第１のサブブフィールド群−
（第１のサブブフィールド）
先ず、第１のサブブフィールドＳＦ１のリセット期間には、高い正のリセットパルスまたは所定の勾配を有するランプ信号状のセットアップ／セットダウンパルス（図示せず）が維持電極Ｚに供給されて全画面のセル内にリセット放電を起こす。リセット放電により、全画面のセルは壁電荷が均一に蓄積され、均一な放電特性を有するようになる。
【００８４】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【００８５】
維持期間には、走査電極Ｙまたは維持電極Ｚに維持パルスＳＵＳが交互に供給できるが、好ましくは、図示のように、走査電極Ｙ及び維持電極Ｚのうちどちらかにも維持パルスが供給されない。すなわち、走査電極Ｙ及び維持電極Ｚはグラウンドレベルに保持される。
【００８６】
消去期間には、消去パルスが走査電極Ｙに供給される。
【００８７】
（第２のサブフィールド）
第２のサブフィールドＳＦ２のアドレス期間は、第１のサブブフィールドのアドレス期間と同様にして行われる。ただし、維持期間には、第１のサブブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給される。また、消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【００８８】
（第３，４，５，６，７のサブフィールド）
第３，４，５，６，７のサブフィールドＳＦ３，ＳＦ４，ＳＦ５，ＳＦ６，ＳＦ７のアドレス期間は、第１のサブブフィールドのアドレス期間と同様にして行われる。また、維持期間には、走査電極Ｙまたは維持電極Ｚに維持パルスＳＵＳが交互に供給される。
【００８９】
消去期間には、走査電極Ｙに消去パルスが供給される。
【００９０】
−第２のサブフィールド群−
（第８のサブフィールド）
第８のサブフィールドＳＦ８のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【００９１】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【００９２】
維持期間には、走査電極Ｙまたは維持電極Ｚに維持パルスＳＵＳが交互に供給できるが、好ましくは、図示のように、走査電極Ｙ及び維持電極Ｚのうちどちらかにも維持パルスが供給されない。
【００９３】
消去期間には、消去パルスが走査電極Ｙに供給される。
【００９４】
（第９のサブフィールド）
第９のサブフィールドＳＦ９のアドレス期間は、第８のサブフィールドのアドレス期間と同様にして行われる。ただし、維持期間には、第８のサブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給される。また、消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【００９５】
（第１０，１１，１２，１３，１４のサブフィールド）
第１０，１１，１２，１３，１４のサブフィールドＳＦ１０，ＳＦ１１，ＳＦ１２，ＳＦ１３，ＳＦ１４のアドレス期間は、第８のサブフィールドのアドレス期間と同様にして行われる。また、維持期間には、走査電極Ｙまたは維持電極Ｚに維持パルスＳＵＳが交互に供給される。
【００９６】
消去期間には、走査電極Ｙに消去パルスが供給される。
【００９７】
このように駆動される本発明の第２の実施例に係るプラズマディスプレイ装置は、維持期間に走査電極Ｙ及び維持電極Ｚのうちどちらかにも維持パルスを印加しないサブフィールドＳＦ１，ＳＦ９では、維持期間に走査電極Ｙ及び維持電極Ｚのうちどちらか一方の電極にのみ維持パルスを印加するサブフィールドＳＦ２，ＳＦ９で生じる光による階調値よりもさらに小さな階調値を表現することができる。
【００９８】
一方、本発明の第２の実施例においてフレーム間や同じフレームのサブフィールド群の間に含まれた休止期間と、フレーム内に含まれたサブフィールドの加重値配列については、本発明の第１の実施例と同様であるので、その説明を省略する。
【００９９】
本発明の第３の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の幅が他のサブフィールドの維持期間に印加される維持パルスの第２の幅よりも狭いように前記電極駆動部を制御する維持パルス制御部と、を備える。
【０１００】
前記維持パルス制御部は、前記維持パルスの第１の幅を３μｓ以下に調節することを特徴とする。
【０１０１】
前記維持パルス制御部は、前記第１の幅を有する維持パルスを走査電極及び維持電極のうちどちらか一方の電極にのみ印加することを特徴とする。
【０１０２】
以下、本発明の第３の実施例に係るプラズマディスプレイ装置及びその駆動方法について添付図を参照して詳しく説明する。
【０１０３】
＜第３の実施例＞
図１０は、本発明の第３の実施例に係るプラズマディスプレイ装置を示す図である。図１０を参照すれば、本発明の第３の実施例に係るプラズマディスプレイ装置は、プラズマディスプレイパネル１００と、プラズマディスプレイパネル１００の下基板（図示せず）に形成されたアドレス電極Ｘ１〜Ｘｍにデータを供給するためのデータ駆動部１４２と、走査電極Ｙ１〜Ｙｎを駆動するための走査駆動部１４３と、共通電極である維持電極Ｚを駆動するための維持駆動部１４４と、最低階調を表示するためのサブフィールドで維持パルスの幅を調節する維持パルス制御部１４６と、プラズマディスプレイパネル駆動時にデータ駆動部１４２、走査駆動部１４３、維持駆動部１４４及び維持パルス制御部１４６を制御するためのタイミング制御部１４１と、それぞれの駆動部１４２，１４３，１４４に必要な駆動電圧を供給するための駆動電圧発生部１４５と、を備える。
【０１０４】
このような構造を有する本発明の第３の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１つ以上のサブフィールドの組み合わせによってフレームよりなる画像を表現するが、フレームを複数のサブフィールド群に分け、複数のサブフィールド群によりそれぞれの駆動部１４２，１４３，１４４を制御し、複数のサブフィールド群のうち少なくとも１つのサブフィールドの維持期間に走査電極Ｙ１〜Ｙｎまたは維持電極にパルス幅が調節された維持パルスを印加する。
【０１０５】
ここで、プラズマディスプレイパネル１００は上基板（図示せず）と下基板（図示せず）が所定の間隔を開けて配置されており、上基板には多数の電極、例えば走査電極Ｙ１〜Ｙｎ及び維持電極Ｚが対をなして配設されており、下基板には走査電極Ｙ１〜Ｙｎ及び維持電極Ｚと交差するアドレス電極Ｘ１〜Ｘｍが配設されている。
【０１０６】
データ駆動部１４２には、図示しない逆γ補正回路、誤差拡散回路などにより逆γ補正及び誤差拡散された後、サブフィールドマッピング回路により各サブフィールドにマッピングされたデータが供給される。このようなデータ駆動部１４２は、タイミング制御部１４１からのタイミング制御信号ＣＴＲＸに応答してデータをサンプリングしてラッチした後、そのデータをアドレス電極Ｘ１〜Ｘｍに供給する。
【０１０７】
走査駆動部１４３は、タイミング制御部１４１の制御下でアドレス期間中に走査電圧−Ｖｙの走査パルスＳｐを走査電極Ｙ１〜Ｙｎに順次に供給する。維持期間中には維持駆動部１６４と交互に動作して維持パルスｓｕｓを走査電極Ｙ１〜Ｙｎに供給する。
【０１０８】
維持駆動部１４４は、タイミング制御部１４１の制御下でリセット期間中にリセットｒｅｓｅｔ波形が維持電極Ｚに供給される。また、アドレス期間中には所定のバイアス電圧が印加され、維持期間中には走査駆動部１４３と交互に動作して維持パルスｓｕｓが維持電極Ｚに供給され、消去期間中にはランプ波形のような消去ｅｒａｓｅ波形が維持電極Ｚに供給される。
【０１０９】
一方、走査駆動部１４３及び維持駆動部１４４が動作する維持期間中には、輝度加重値によって、すなわち階調値によって後述する維持パルス制御部１４６により維持パルスｓｕｓが走査電極Ｙ１〜Ｙｎまたは維持電極Ｚに交互に供給されるが、好ましくは、最低階調を表示するサブフィールドの維持期間中には幅が調節された維持パルスｓｕｓを走査電極Ｙ１〜Ｙｎに供給する。ここで、最低階調とは、プラズマディスプレイ装置を多数のサブフィールドに分けて駆動するとき、各サブフィールド毎に輝度加重値を設定し、階調の表現時に最低の輝度加重値を有するサブフィールドにおける階調値を意味する。より正確には、所定のサブフィールドの維持期間に２０以下の輝度加重値を有する維持パルスが供給されることにより示された階調のことである。
【０１１０】
維持パルス制御部１４６は、各サブフィールドにマッピングされたデータの階調値によってタイミング制御部１４１の制御信号に応答して維持期間に供給される維持パルスの幅を調節する。好ましくは、多数のサブフィールドのうち最低階調を表示するサブフィールドの維持期間中には、残りの他の階調を表示するサブフィールドの維持期間中に印加される維持パルスの幅Ｗ２とは異なる幅Ｗ１を有する維持パルスを、走査駆動部１４３及び維持駆動部１４４に供給する。すなわち、最低階調を表示する維持パルスの幅Ｗ１は、最小限維持放電ができる幅よりは広く、残りの他の階調を表示する維持パルスの幅Ｗ２よりは狭い状態で供給される。このとき、最低階調を表示するための維持パルスは、走査電極Ｙ１〜Ｙｎ及び維持電極Ｚのうちどちらか一方の電極にのみ印加され、最低階調を表示するための維持パルスの幅は３μs以下に調節される。
【０１１１】
維持パルス幅の上限値である３μsは、通常の幅を有する維持パルスが走査電極Ｙ１〜Ｙｎまたは維持電極Ｚに供給されることで生じた光量と比較するとき、階調差が発生できる数値である。このような維持パルス制御部１４６は走査駆動部１４３または維持駆動部１４４に内設できる。
【０１１２】
タイミング制御部１４１は、垂直／水平同期信号とクロック信号を入力され、リセット期間、アドレス期間、維持期間で各駆動部１４２，１４３，１４４と維持パルス制御部１４６の動作タイミングと同期化を制御するためのタイミング制御信号ＣＴＲＸ、ＣＴＲＹ、ＣＴＲＺ、ＣＴＲＥＲＳ３を発生し、そのタイミング制御信号ＣＴＲＸ、ＣＴＲＹ、ＣＴＲＺ、ＣＴＲＥＲＳ３を該当駆動部１４２，１４３，１４４と維持パルス制御部１４６に供給することで各駆動部及び制御部１４２，１４３，１４４，１４６を制御する。
【０１１３】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１４３内のエネルギー回収回路と駆動スィッチ素子のＯＮ／ＯＦＦタイムを制御するためのスィッチ制御信号が含まれ、維持制御信号ＣＴＲＺには、維持駆動部１４４内のエネルギー回収回路と駆動スィッチ素子のＯＮ／ＯＦＦタイムを制御するためのスィッチ制御信号が含まれる。
【０１１４】
駆動電圧発生部１４５は、リセット電圧Ｖｒｅｓｅｔ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セル構造によって変わることができる。
【０１１５】
図１１は、本発明の第３の実施例に係るプラズマディスプレイ装置の駆動方法を説明するための図である。図１１を参照して本発明の第３の実施例に係るプラズマディスプレイパネルの駆動方法を説明すると、本発明の第１の実施例と同様にして、（ａ）に示すように、１フレームは１つ以上のサブフィールドを含む複数のサブフィールド群に分けられ、各サブフィールド群の間には所定の長さを有する休止期間が含まれ、サブフィールド群はリセット期間、アドレス期間、維持期間及び消去期間をそれぞれ含む多数のサブフィールドＳＦ１，ＳＦ２，ＳＦ３，ＳＦ４，．．．に時分割される。このように時分割された各サブフィールドはそれぞれ所定の輝度加重値を有するように設定される。詳しくは、最低の輝度加重値を有するサブフィールドＳＦ１，ＳＦ８から供給される維持パルスの幅は、他の輝度加重値を有するサブフィールドＳＦ２，ＳＦ３，ＳＦ４，．．．，ＳＦ９，ＳＦ１０，ＳＦ１１，．．．から供給される維持パルスの幅と異ならせて供給される。例えば、１フレームが第１のサブブフィールド群と第２のサブフィールド群に分けられて駆動されるとき、各サブフィールドでは（ｂ）のように駆動される。
【０１１６】
−第１のサブブフィールド群−
（第１のサブブフィールド）
先ず、第１のサブブフィールドＳＦ１のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１１７】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１１８】
維持期間には、走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給される。このとき、維持パルスの幅Ｗ１は、他のサブフィールドＳＦ２，ＳＦ３，ＳＦ４，ＳＦ５，ＳＦ６，ＳＦ７の維持期間に印加される維持パルスの幅Ｗ２よりも狭く設定されている。この際の維持パルスの幅Ｗ１は３μs以下である。維持パルスの幅Ｗ１に対する数値限定値は、通常にプラズマディスプレイパネルに印加される幅Ｗ２を有する維持パルスがパネルに供給されることで生じた光量と比較するとき、階調差を発生できる値である。
【０１１９】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１２０】
（第２のサブフィールド）
第２のサブフィールドＳＦ２のアドレス期間は、第１のサブブフィールドのアドレス期間と同様にして行われる。ただし、維持期間には、第１のサブブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの幅Ｗ２は従来の通常供給される維持パルスの幅Ｗ２と同じである。
【０１２１】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１２２】
（第３，４，５，６，７のサブフィールド）
第３，４，５，６，７のサブフィールドＳＦ３，ＳＦ４，ＳＦ５，ＳＦ６，ＳＦ７のアドレス期間は、第１のサブブフィールドのアドレス期間と同様にして行われる。また、維持期間には、走査電極Ｙまたは維持電極Ｚに維持パルスＳＵＳが交互に供給される。このとき、維持パルスの幅Ｗ２は、従来の通常供給される維持パルスの幅Ｗ２と同じである。
【０１２３】
消去期間には、走査電極Ｙに消去パルスが供給される。
【０１２４】
−第２のサブフィールド群−
（第８のサブフィールド）
先ず、第８のサブフィールドＳＦ８のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１２５】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１２６】
維持期間には、走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給される。このとき、維持パルスの幅Ｗ１は、他のサブフィールドＳＦ９，ＳＦ１０，ＳＦ１１，ＳＦ１２，ＳＦ１３，ＳＦ１４の維持期間に印加される維持パルスW２の幅よりも狭く設定されている。この際の維持パルスの幅Ｗ１は３μs以下である。維持パルスの幅Ｗ１に対する数値限定値は、通常プラズマディスプレイパネルに印加される幅Ｗ２を有する維持パルスがパネルに供給されて生じた光量と比較するとき、階調差を発生できる値である。
【０１２７】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１２８】
（第９のサブフィールド）
第９のサブフィールドＳＦ９のリセット期間及びアドレス期間は、第８のサブフィールドのアドレス期間と同様にして行われる。ただし、維持期間には、第８のサブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの幅Ｗ２は、従来の通常供給される維持パルスの幅Ｗ２と同じである。
【０１２９】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１３０】
（第１０，１１，１２，１３，１４のサブフィールド）
第１０，１１，１２，１３，１４のサブフィールドＳＦ１０，ＳＦ１１，ＳＦ１２，ＳＦ１３，ＳＦ１４のアドレス期間は、第８のサブフィールドのアドレス期間と同様にして行われる。また、維持期間には、走査電極Ｙまたは維持電極Ｚに維持パルスＳＵＳが交互に供給される。このとき、維持パルスの幅Ｗ２は、従来の通常供給される維持パルスの幅Ｗ２と同じである。
【０１３１】
消去期間には、走査電極Ｙに消去パルスが供給される。
【０１３２】
このように駆動される本発明の第３の実施例に係るプラズマディスプレイ装置は、走査電極Ｙ及び維持電極Ｚのうちどちらか一方の電極にのみ維持パルスを印加するサブフィールドＳＦ２，ＳＦ９では、従来の走査電極及び維持電極に交互に維持パルスを印加するサブフィールドＳＦ３，ＳＦ４，ＳＦ５，ＳＦ６，ＳＦ７，ＳＦ１０，ＳＦ１１，ＳＦ１２，ＳＦ１３，ＳＦ１４で生じた光による階調値よりも小さな階調値を表現する。また、走査電極及び維持電極のうちどちらか一方の電極にのみ維持パルスを印加するとき、他のサブフィールドＳＦ３，ＳＦ４，ＳＦ５，ＳＦ６，ＳＦ７，ＳＦ１０，ＳＦ１１，ＳＦ１２，ＳＦ１３，ＳＦ１４の維持パルス幅Ｗ２よりも狭い幅Ｗ１を有する維持パルスを印加するサブフィールドＳＦ１，ＳＦ８では、より細かい階調値を表現することができる。
【０１３３】
また、走査電極及び維持電極に交互に維持パルスを印加して階調を表現する従来のプラズマディスプレイパネルの駆動方法においても、維持パルス幅を狭くすることでより細かい階調値を表現することができる。
【０１３４】
一方、本発明の第３の実施例においてフレーム間や同じフレームのサブフィールド群の間に含まれた休止期間とフレーム内に含まれたサブフィールドの加重値配列については、本発明の第１の実施例と同様であるので、説明を省略する。
【０１３５】
本発明の第４の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に前記走査電極または維持電極に印加される維持パルスの第１の電圧が他のサブフィールドの維持期間に印加される維持パルスの第２の電圧よりも低いように前記電極駆動部を制御する維持パルス制御部と、を備える。
【０１３６】
前記維持パルス制御部は、前記維持パルスの第１の電圧を保持電圧Ｖｓよりも低めることを特徴とする。
【０１３７】
前記維持パルス制御部は、前記第１の電圧を有する維持パルスを走査電極及び維持電極のうちどちらか一方の電極にのみ印加することを特徴とする。
【０１３８】
以下、本発明の第４の実施例に係るプラズマディスプレイ装置及びその駆動方法について添付図を参照して詳しく説明する。
【０１３９】
＜第４の実施例＞
図１２は、本発明の第４の実施例に係るプラズマディスプレイ装置を示す図である。図１２を参照すれば、本発明の第４の実施例に係るプラズマディスプレイ装置は、第１の実施例と同様にして、プラズマディスプレイパネル１００と、プラズマディスプレイパネル１００の下基板（図示せず）に形成されたアドレス電極Ｘ１〜Ｘｍにデータを供給するためのデータ駆動部１５２と、走査電極Ｙ１〜Ｙｎを駆動するための走査駆動部１５３と、共通電極である維持電極Ｚを駆動するための維持駆動部１５４と、最低階調を表示するためのサブフィールドで維持パルスの電圧を調節する維持パルス制御部１５６と、プラズマディスプレイパネル駆動時にデータ駆動部１５２、走査駆動部１５３、維持駆動部１５４及び維持パルス制御部１５６を制御するためのタイミング制御部１５１と、それぞれの駆動部１５２，１５３，１５４に必要な駆動電圧を供給するための駆動電圧発生部１５５と、を備える。
【０１４０】
このような構造を有する本発明の第４の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１つ以上のサブフィールドの組み合わせによってフレームよりなる画像を表現するが、このとき、フレームを複数のサブフィールド群に分け、複数のサブフィールド群によりそれぞれの駆動部１５２，１５３，１５４を制御し、複数のサブフィールド群のうち少なくとも１つのサブフィールドの維持期間に走査電極Ｙ１〜Ｙｎまたは維持電極に電圧が調節された維持パルスを印加する。
【０１４１】
ここで、第１の実施例と同様にして、プラズマディスプレイパネル１００は、上基板（図示せず）と下基板（図示せず）が所定の間隔を開けて配置されており、上基板には多数の電極、例えば走査電極Ｙ１〜Ｙｎ及び維持電極Ｚが対をなして配設されており、下基板には走査電極Ｙ１〜Ｙｎ及び維持電極Ｚと交差するアドレス電極Ｘ１〜Ｘｍが配設されている。
【０１４２】
データ駆動部１５２には、図示しない逆γ補正回路、誤差拡散回路などにより逆γ補正及び誤差拡散された後、サブフィールドマッピング回路により各サブフィールドにマッピングされたデータが供給される。このようなデータ駆動部１５２は、タイミング制御部１５１からのタイミング制御信号ＣＴＲＸに応答してデータをサンプリングしてラッチした後、そのデータをアドレス電極Ｘ１〜Ｘｍに供給する。
【０１４３】
走査駆動部１５３は、タイミング制御部１５１の制御下でアドレス期間中に走査電圧−Ｖｙの走査パルスＳｐを走査電極Ｙ１〜Ｙｎに順次に供給する。維持期間中には維持駆動部１５４と交互に動作して維持パルスｓｕｓを走査電極Ｙ１〜Ｙｎに供給する。
【０１４４】
維持駆動部１５４は、タイミング制御部１５１の制御下でリセット期間中にリセットｒｅｓｅｔ波形が維持電極Ｚに供給される。また、アドレス期間中には所定のバイアス電圧が印加され、維持期間中には走査駆動部１５３と交互に動作して維持パルスｓｕｓが維持電極Ｚに供給され、消去期間中にはランプ波形のような消去ｅｒａｓｅ波形が維持電極Ｚに供給される。
【０１４５】
一方、走査駆動部１５３及び維持駆動部１５４が動作する維持期間中には、輝度加重値によって、すなわち階調値によって後述する維持パルス制御部１５６により維持パルスｓｕｓが走査電極Ｙ１〜Ｙｎまたは維持電極Ｚに交互に供給されるが、好ましくは、最低階調を表示するサブフィールドの維持期間中には電圧が調節された維持パルスｓｕｓを走査電極Ｙ１〜Ｙｎに供給する。ここで、最低階調とは、プラズマディスプレイ装置を多数のサブフィールドに分けて駆動するとき、各サブフィールド毎に輝度加重値を設定し、階調の表現時に最低の輝度加重値を有するサブフィールドにおける階調値を意味する。より正確には、所定のサブフィールドの維持期間に２０以下の輝度加重値を有する維持パルスが供給されることにより示された階調のことである。
【０１４６】
維持パルス制御部１５６は、各サブフィールドにマッピングされたデータの階調値によってタイミング制御部１５１の制御信号に応答して維持期間に供給される維持パルス電圧Ｖｓを調節する。好ましくは、多数のサブフィールドのうち最低階調を表示するサブフィールドの維持期間中には、残りの他の階調を表示するサブフィールドの維持期間中に印加される維持パルスの電圧Ｖｓとは異なる電圧Ｖｓ−ΔＶを有する維持パルスを走査駆動部１５３及び維持駆動部１５４に供給する。このとき、最低階調を表示する維持パルスの電圧は、最小限放電開始電圧よりは高く、残りの他の階調を表示する維持パルスの電圧Ｖｓよりは低く調節される。また、最低階調を表示するための維持パルスは、走査電極Ｙ１〜Ｙｎ及び維持電極Ｚのうちどちらか一方の電極にのみ印加される。このような維持パルス制御部１５６は、走査駆動部１５３または維持駆動部１５４に内設できる。
【０１４７】
タイミング制御部１５１は、垂直／水平同期信号とクロック信号を入力され、リセット期間、アドレス期間、維持期間で各駆動部１５２，１５３，１５４と維持パルス制御部１５６の動作タイミングと同期化を制御するためのタイミング制御信号ＣＴＲＸ、ＣＴＲＹ、ＣＴＲＺ、ＣＴＲＥＲＳ４を発生し、そのタイミング制御信号ＣＴＲＸ、ＣＴＲＹ、ＣＴＲＺ、ＣＴＲＥＲＳ４を該当駆動部１５２，１５３，１５４と維持パルス制御部１５６に供給することで各駆動部及び制御部１５２，１５３，１５４，１５６を制御する。
【０１４８】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１５３内のエネルギー回収回路と駆動スィッチ素子のＯＮ／ＯＦＦタイムを制御するためのスィッチ制御信号が含まれ、維持制御信号ＣＴＲＺには、維持駆動部１５４内のエネルギー回収回路と駆動スィッチ素子のＯＮ／ＯＦＦタイムを制御するためのスィッチ制御信号が含まれる。また、維持パルス電圧制御信号ＣＴＲＲＥＳ４には、維持パルスの電圧を選択するためのスィッチ素子の制御信号が含まれる。
【０１４９】
駆動電圧発生部１５５は、リセット電圧Ｖｒｅｓｅｔ、走査共通電圧Ｖｓｃａｎ−ｃｏｍ、走査電圧−Ｖｙ、維持電圧Ｖｓ、データ電圧Ｖｄ、維持電圧Ｖｓ以下の電圧Ｖｓ−ΔＶなどを発生する。このような駆動電圧は、放電ガスの組成や放電セル構造によって変わることができる。
【０１５０】
図１３は、本発明の第４の実施例に係るプラズマディスプレイ装置の駆動方法を説明するための図である。図１３を参照して本発明の第４の実施例に係るプラズマディスプレイパネルの駆動方法を説明すると、本発明の第１の実施例と同様にして、（ａ）に示すように、１フレームは１つ以上のサブフィールドを含む複数のサブフィールド群に分けられ、各サブフィールド群の間には所定の長さを有する休止期間が含まれ、サブフィールド群はリセット期間、アドレス期間、維持期間及び消去期間をそれぞれ含む多数のサブフィールドＳＦ１，ＳＦ２，ＳＦ３，ＳＦ４，．．．に時分割される。このように時分割された各サブフィールドはそれぞれ所定の輝度加重値を有するように設定される。詳しくは、最低の輝度加重値を有するサブフィールドＳＦ１から供給される維持パルスの電圧は、他の輝度加重値を有するサブフィールドＳＦ２，ＳＦ３，ＳＦ４，．．．，ＳＦ９，ＳＦ１０，ＳＦ１１，．．．から供給される維持パルスの電圧と異ならせて供給される。例えば、１フレームが第１のサブブフィールド群と第２のサブフィールド群に分けられて駆動されるとき、各サブフィールドでは（ｂ）のように駆動される。
【０１５１】
−第１のサブブフィールド群−
（第１のサブブフィールド）
先ず、第１のサブブフィールドＳＦ１のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１５２】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１５３】
維持期間には、走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給される。このとき、維持パルスの電圧Ｖｓ−ΔＶは、他のサブフィールドＳＦ２，ＳＦ３，ＳＦ４，ＳＦ５，ＳＦ６，ＳＦ７の維持期間に印加される維持パルスの電圧Ｖｓよりも低く設定される。この場合、維持パルスの電圧Ｖｓ−ΔＶは少なくとも放電開始のための電圧Ｖｆよりは高く設定する必要がある。
【０１５４】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１５５】
（第２のサブフィールド）
第２のサブフィールドＳＦ２のアドレス期間は、第１のサブブフィールドのアドレス期間と同様にして行われる。ただし、維持期間には、第１のサブブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの電圧Ｖｓは、従来の通常供給される維持パルスの電圧Ｖｓと同じである。
【０１５６】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１５７】
（第３，４，５，６，７のサブフィールド）
第３，４，５，６，７のサブフィールドＳＦ３，ＳＦ４，ＳＦ５，ＳＦ６，ＳＦ７のアドレス期間は、第１のサブブフィールドのアドレス期間と同様にして行われる。また、維持期間には、走査電極Ｙまたは維持電極Ｚに維持パルスＳＵＳが交互に供給される。このとき、維持パルスの電圧Ｖｓは、従来の通常供給される維持パルスの電圧Ｖｓと同じである。
【０１５８】
消去期間には、走査電極Ｙに消去パルスが供給される。
【０１５９】
−第２のサブフィールド群−
（第８のサブフィールド）
先ず、第８のサブフィールドＳＦ８のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１６０】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１６１】
維持期間には、走査電極Ｙまたは維持電極Ｚに維持パルスＳＵＳが交互に供給になることができるが、好ましくは、図示のように、走査電極Ｙ及び維持電極Ｚのうちどちらか一方の電極にのみ維持パルスが供給される。このとき、維持パルスの電圧Ｖｓ−ΔＶは、他のサブフィールドＳＦ９，ＳＦ１０，ＳＦ１１，ＳＦ１２，ＳＦ１３，ＳＦ１４の維持期間に印加される維持パルスの電圧Ｖｓよりも低く設定される。この場合、維持パルスの電圧Ｖｓ−ΔＶは、少なくとも放電開始のための電圧Ｖｆよりは高く設定する必要がある。
【０１６２】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１６３】
（第９のサブフィールド）
第９のサブフィールドＳＦ９のアドレス期間は、第８のサブフィールドのアドレス期間と同様にして行われる。ただし、維持期間には、第８のサブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの電圧Ｖｓは、従来の通常供給される維持パルスの電圧Ｖｓと同じである。
【０１６４】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１６５】
（第１０，１１，１２，１３，１４のサブフィールド）
第１０，１１，１２，１３，１４のサブフィールドＳＦ１０，ＳＦ１１，ＳＦ１２，ＳＦ１３，ＳＦ１４のアドレス期間は、第８のサブフィールドのアドレス期間と同様にして行われる。また、維持期間には、走査電極Ｙまたは維持電極Ｚに維持パルスＳＵＳが交互に供給される。このとき、維持パルスの電圧Ｖｓは、従来の通常供給される維持パルスの電圧Ｖｓと同じである。
【０１６６】
消去期間には、走査電極Ｙに消去パルスが供給される。
【０１６７】
このように駆動される本発明の第４の実施例に係るプラズマディスプレイ装置は、走査電極Ｙ及び維持電極Ｚのうちどちらか一方の電極にのみ維持パルスを印加するサブフィールドＳＦ２，ＳＦ９では、従来の走査電極及び維持電極に交互に維持パルスを印加するサブフィールドＳＦ３，ＳＦ４，ＳＦ５，ＳＦ６，ＳＦ７，ＳＦ１０，ＳＦ１１，ＳＦ１２，ＳＦ１３，ＳＦ１４で生じる光による階調値よりも小さな階調値を表現する。また、走査電極及び維持電極のうちどちらか一方の電極にのみ維持パルスを印加するとき、他のサブフィールドＳＦ３，ＳＦ４，ＳＦ５，ＳＦ６，ＳＦ７，ＳＦ１０，ＳＦ１１，ＳＦ１２，ＳＦ１３，ＳＦ１４の維持パルス電圧Ｖｓよりも低い電圧Ｖｓ−ΔＶを有する維持パルスを印加するサブフィールドＳＦ１，ＳＦ８では、より細かい階調値を表現することができる。
【０１６８】
また、走査電極及び維持電極に交互に維持パルスを印加して階調を表現する従来のプラズマディスプレイパネルの駆動方法においても、維持パルス電圧を低くすることでより細かい階調値を表現することができる。
【０１６９】
一方、本発明の第４の実施例においてフレーム間や同じフレームのサブフィールド群の間に含まれた休止期間とフレーム内に含まれたサブフィールドの加重値配列については、本発明の第１の実施例と同様であるので、説明を省略する。
【０１７０】
本発明の第５の実施例に係るプラズマディスプレイ装置は、走査電極及び維持電極を含むプラズマディスプレイパネルと、前記走査電極及び前記維持電極を駆動するためのそれぞれの電極駆動部と、前記電極駆動部が１フレームを少なくとも１以上のサブフィールドを含む複数のサブフィールド群に分け、前記サブフィールド群のうち少なくとも１つのサブフィールドの維持期間に、前記走査電極または維持電極に印加される維持パルスの第１の勾配が他のサブフィールドの維持期間に印加される維持パルスの第２の勾配よりも小さいように前記電極駆動部を制御する維持パルス制御部と、を備える。
【０１７１】
前記維持パルス制御部は、前記維持パルスの第１の勾配を５０Ｖ／μｓ以下にすることを特徴とする
前記維持パルス制御部は、前記第１の勾配を有する維持パルスを走査電極及び維持電極のうちどちらか一方の電極にのみ印加することを特徴とする
以下、本発明の第５の実施例に係るプラズマディスプレイ装置及びその駆動方法について添付図を参照して詳しく説明する。
【０１７２】
＜第５の実施例＞
図１４は、本発明の第５の実施例に係るプラズマディスプレイ装置を示す図である。図１４を参照すれば、本発明の第５の実施例に係るプラズマディスプレイ装置は、プラズマディスプレイパネル１００と、プラズマディスプレイパネル１００の下基板（図示せず）に形成されたアドレス電極Ｘ１〜Ｘｍにデータを供給するためのデータ駆動部１６２と、走査電極Ｙ１〜Ｙｎを駆動するための走査駆動部１６３と、共通電極である維持電極Ｚを駆動するための維持駆動部１６４と、最低階調を表示するためのサブフィールドで維持パルスの勾配を調節する維持パルス制御部１６６と、プラズマディスプレイパネル駆動時にデータ駆動部１６２、走査駆動部１６３、維持駆動部１６４及び維持パルス制御部１６６を制御するためのタイミング制御部１６１と、それぞれの駆動部１６２，１６３，１６４に必要な駆動電圧を供給するための駆動電圧発生部１６５と、を備える。
【０１７３】
このような構造を有する本発明の第５の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１つ以上のサブフィールドの組み合わせによってフレームよりなる画像を表現するが、フレームを複数のサブフィールド群に分け、複数のサブフィールド群によりそれぞれの駆動部１６２，１６３，１６４を制御し、複数のサブフィールド群のうち少なくとも１つのサブフィールドの維持期間に走査電極Ｙ１〜Ｙｎまたは維持電極に傾くのが調節された維持パルスを印加する。
【０１７４】
ここで、第１の実施例と同様にして、プラズマディスプレイパネル１００は上基板（図示せず）と下基板（図示せず）が所定の間隔を開けて配置されており、上基板には多数の電極、例えば走査電極Ｙ１〜Ｙｎ及び維持電極Ｚが対をなして配設されており、下基板には走査電極Ｙ１〜Ｙｎ及び維持電極Ｚと交差するアドレス電極Ｘ１〜Ｘｍが配設されている。
【０１７５】
データ駆動部１６２には、図示しない逆γ補正回路、誤差拡散回路などにより逆γ補正及び誤差拡散された後、サブフィールドマッピング回路により各サブフィールドにマッピングされたデータが供給される。このようなデータ駆動部１６２は、タイミング制御部１６１からのタイミング制御信号ＣＴＲＸに応答してデータをサンプリングしてラッチした後、そのデータをアドレス電極Ｘ１〜Ｘｍに供給する。
【０１７６】
走査駆動部１６３は、タイミング制御部１６１の制御下でアドレス期間中に走査電圧−Ｖｙの走査パルスＳｐを走査電極Ｙ１〜Ｙｎに順次に供給する。維持期間中には維持駆動部１６４と交互に動作して維持パルスｓｕｓを走査電極Ｙ１〜Ｙｎに供給する。
【０１７７】
維持駆動部１６４は、タイミング制御部１６１の制御下でリセット期間中にリセットｒｅｓｅｔ波形が維持電極Ｚに供給される。また、アドレス期間中には所定のバイアス電圧が印加され、維持期間中には走査駆動部１６３と交互に動作して維持パルスｓｕｓが維持電極Ｚに供給され、消去期間中にはランプ波形のような消去ｅｒａｓｅ波形が維持電極Ｚに供給される。
【０１７８】
一方、走査駆動部１６３及び維持駆動部１６４が動作する維持期間中には、輝度加重値によって、すなわち階調値によって後述する維持パルス制御部１６６により維持パルスｓｕｓが走査電極Ｙ１〜Ｙｎまたは維持電極Ｚに交互に供給されるが、好ましくは、最低階調を表示するサブフィールドの維持期間中には勾配が調節された維持パルスｓｕｓを走査電極Ｙ１〜Ｙｎに供給する。ここで、最低階調とは、プラズマディスプレイ装置を多数のサブフィールドに分けて駆動するとき、各サブフィールド毎に輝度加重値を設定し、階調の表現時に最低の輝度加重値を有するサブフィールドにおける階調値を意味する。より正確には、所定のサブフィールドの維持期間に２０以下の輝度加重値を有する維持パルスが供給されることにより示された階調のことである。
【０１７９】
維持パルス制御部１６６は、各サブフィールドにマッピングされたデータの階調値により、タイミング制御部１６１の制御信号に応答して維持期間に供給される維持パルスの勾配を調節する。好ましくは、多数のサブフィールドのうち最低階調を表示するサブフィールドの維持期間中には、残りの他の階調を表示するサブフィールドの維持期間中に印加される維持パルスの勾配とは異なる勾配を有する維持パルスを走査駆動部１６３及び維持駆動部１６４に供給する。このとき、最低階調を表示する維持パルスの勾配は、残りの他の階調を表示する維持パルスの勾配よりも小さく調節される。また、最低階調を表示するための維持パルスは、走査電極Ｙ１〜Ｙｎ及び維持電極Ｚのうちどちらか一方の電極にのみ印加される。このような維持パルス制御部１６６は、走査駆動部または維持駆動部に内設できる。
【０１８０】
タイミング制御部１６１は、垂直／水平同期信号とクロック信号を入力され、リセット期間、アドレス期間、維持期間で各駆動部１６２，１６３，１６４と維持パルスの制御部１６６の動作タイミングと同期化を制御するためのタイミング制御信号ＣＴＲＸ、ＣＴＲＹ、ＣＴＲＺ、ＣＴＲＥＲＳ５を発生し、そのタイミング制御信号ＣＴＲＸ、ＣＴＲＹ、ＣＴＲＺ、ＣＴＲＥＲＳ５を該当駆動部１６２，１６３，１６４と維持パルス制御部１６６に供給することで各駆動部を制御する。
【０１８１】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１６３内のエネルギー回収回路と駆動スィッチ素子のＯＮ／ＯＦＦタイムを制御するためのスィッチ制御信号が含まれ、維持制御信号ＣＴＲＺには、維持駆動部１６４内のエネルギー回収回路と駆動スィッチ素子のＯＮ／ＯＦＦタイムを制御するためのスィッチ制御信号が含まれる。また、維持パルスの勾配制御信号ＣＴＲＲＥＳ５には、維持パルスの勾配が選択するためのスィッチ素子の制御信号が含まれる。
【０１８２】
駆動電圧発生部１６５は、リセット電圧Ｖｒｅｓｅｔ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セル構造によって変わることができる。
【０１８３】
図１５は、本発明の第５の実施例に係るプラズマディスプレイ装置の駆動方法を説明するための図である。図１５を参照して本発明の第５の実施例に係るプラズマディスプレイパネルの駆動方法を説明すると、本発明の第１の実施例と同様にして、（ａ）に示すように、１フレームは１つ以上のサブフィールドを含む複数のサブフィールド群に分けられ、各サブフィールド群の間には所定の長さを有する休止期間が含まれ、サブフィールド群はリセット期間、アドレス期間、維持期間及び消去期間をそれぞれ含む多数のサブフィールドＳＦ１，ＳＦ２，ＳＦ３，ＳＦ４，．．．に時分割される。このように時分割された各サブフィールドは、それぞれ所定の輝度加重値を有するように設定される。詳しくは、最低の輝度加重値を有するサブフィールドＳＦ１から供給される維持パルスの勾配は、他の輝度加重値を有するサブフィールドＳＦ２，ＳＦ３，ＳＦ４，．．．，ＳＦ９，ＳＦ１０，ＳＦ１１，．．．から供給される維持パルスの勾配と異ならせて供給される。例えば、１フレームが第１のサブブフィールド群と第２のサブフィールド群に分けられて駆動されるとき、各サブフィールドでは（ｂ）のように駆動される。
【０１８４】
−第１のサブブフィールド群−
（第１のサブブフィールド）
先ず、第１のサブブフィールドＳＦ１のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１８５】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１８６】
維持期間には、走査電極Ｙまたは維持電極Ｚに維持パルスｓｕｓが交互に供給されるが、好ましくは、図示のように、走査電極及び維持電極のうちどちらか一方の電極にのみ維持パルスが供給される。このとき、維持パルスの勾配θ１は、他のサブフィールドＳＦ２，ＳＦ３，ＳＦ４，ＳＦ５，ＳＦ６，ＳＦ７の維持期間に印加される維持パルスの勾配θ２よりも小さく設定される。すなわち、５０Ｖ／μs以下の勾配θ１を有する維持パルスが走査電極及び維持電極のうちどちらか一方の電極にのみ供給される。このような維持パルス勾配θ１の上限値である５０Ｖ／μsは、通常の勾配を有する維持パルスが走査電極Ｙ１〜Ｙｎまたは維持電極Ｚに供給されて生じた光量と比較するとき、階調差を発生できる数値である。
【０１８７】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１８８】
（第２のサブフィールド）
第２のサブフィールドＳＦ２のアドレス期間は、第１のサブブフィールドのアドレス期間と同様にして行われる。ただし、維持期間には、第１のサブブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの勾配θ２は、従来の通常供給される維持パルスの勾配と同じである。
【０１８９】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１９０】
（第３，４，５，６，７のサブフィールド）
第３，４，５，６，７のサブフィールドＳＦ３，ＳＦ４，ＳＦ５，ＳＦ６，ＳＦ７のアドレス期間は、第１のサブブフィールドのアドレス期間と同様にして行われる。また、維持期間には、走査電極Ｙまたは維持電極Ｚに維持パルスＳＵＳが交互に供給される。このとき、維持パルスの勾配は、従来の通常供給される維持パルスの勾配と同じである。
【０１９１】
消去期間には、走査電極Ｙに消去パルスが供給される。
【０１９２】
−第２のサブフィールド群−
（第８のサブフィールド）
先ず、第８のサブフィールドＳＦ８のリセット期間には、高い正のリセットパルスまたは所定の勾配を有するランプ信号状のセットアップ／セットダウンパルス（図示せず）が、維持電極Ｚに供給されて全画面のセル内にリセット放電を起こす。リセット放電により、全画面のセルは壁電荷が均一に蓄積され、均一な放電特性を有するようになる。
【０１９３】
アドレス期間には、アドレス電極Ｘにデータパルスｄａｔａが供給され、そのデータパルスｄａｔａに同期するべく走査電極Ｙに負の走査パルスＳｃａｎが順次に供給される。この走査パルスとデータパルスの電圧差とリセット期間に生成された壁電圧が加えられることにより、データパルスが印加されるセル内ではアドレス放電が発生する。
【０１９４】
維持期間には、走査電極Ｙまたは維持電極Ｚに維持パルスｓｕｓが交互に供給されるが、好ましくは、図示のように、走査電極及び維持電極のうちどちらか一方の電極にのみ維持パルスが供給される。このとき、維持パルスの勾配θ１は、他のサブフィールドＳＦ９，ＳＦ１０，ＳＦ１１，ＳＦ１２，ＳＦ１３，ＳＦ１４の維持期間に印加される維持パルスの勾配θ２よりも小さく設定される。すなわち、５０Ｖ／μs以下の勾配θ１を有する維持パルスが、走査電極及び維持電極のうちどちらか一方の電極にのみ供給される。このような維持パルス勾配θ１の上限値である５０Ｖ／μsは、通常の勾配が有する維持パルスが走査電極Ｙ１〜Ｙｎまたは維持電極Ｚに供給されて生じた光量と比較するとき、階調差を発生できる数値である。
【０１９５】
消去期間には、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１９６】
（第９のサブフィールド）
第９のサブフィールドＳＦ９のアドレス期間は、第８のサブフィールドのアドレス期間と同様にして行われる。ただし、維持期間には、第８のサブフィールドと同様にして走査電極Ｙまたは維持電極Ｚに維持パルスＳＵＳが交互に供給できるが、好ましくは、図示のように、走査電極Ｙ及び維持電極Ｚのうちどちらか一方の電極にのみ維持パルスが供給されて維持放電が起こるようになる。このとき、維持パルスの勾配θ２は、従来の通常供給される維持パルスの勾配と同じである。
【０１９７】
消去期間には、第１のサブブフィールドと同様にして、維持期間に維持パルスＳＵＳが走査電極Ｙ及び維持電極Ｚのうちどちらか一方の電極にのみ供給されるとき、相対的に維持パルスが供給されない電極Ｙ，Ｚにランプ波形のような消去パルスｅｒａｓｅが供給される。
【０１９８】
（第１０，１１，１２，１３，１４のサブフィールド）
第１０，１１，１２，１３，１４のサブフィールドＳＦ１０，ＳＦ１１，ＳＦ１２，ＳＦ１３，ＳＦ１４のアドレス期間は、第８のサブフィールドのアドレス期間と同様にして行われる。また、維持期間には、走査電極Ｙまたは維持電極Ｚに維持パルスＳＵＳが交互に供給される。このとき、維持パルスの勾配従来一般的に供給される維持パルスの勾配と同じである。
【０１９９】
消去期間には、走査電極Ｙに消去パルスが供給される。
【０２００】
このように駆動される本発明の第５の実施例に係るプラズマディスプレイ装置は、走査電極Ｙ及び維持電極Ｚのうちどちらか一方の電極にのみ維持パルスを印加するサブフィールドＳＦ２，ＳＦ９では、従来の走査電極及び維持電極に交互に維持パルスを印加するサブフィールドＳＦ３，ＳＦ４，ＳＦ５，ＳＦ６，ＳＦ７，ＳＦ１０，ＳＦ１１，ＳＦ１２，ＳＦ１３，ＳＦ１４で生じる光による階調値よりも小さな階調値を表現する。また、走査電極及び維持電極のうちどちらか一方の電極にのみ維持パルスを印加するとき、他のサブフィールドＳＦ３，ＳＦ４，ＳＦ５，ＳＦ６，ＳＦ７，ＳＦ１０，ＳＦ１１，ＳＦ１２，ＳＦ１３，ＳＦ１４の維持パルス勾配θ２よりも小さな勾配θ１を有する維持パルスを印加するサブフィールドＳＦ１，ＳＦ８では、より細かい階調値を表現することができる。
【０２０１】
また、走査電極及び維持電極に交互に維持パルスを印加して階調を表現する従来のプラズマディスプレイパネルの駆動方法においても、維持パルスの勾配が小さくすることでより細かい階調値を表現することができる。
【０２０２】
一方、本発明の第５の実施例においてフレーム間や同じフレームのサブフィールド群の間に含まれた休止期間とフレーム内に含まれたサブフィールドの加重値配列については、本発明の第１の実施例と同様であるので、説明を省略する。
【図面の簡単な説明】
【０２０３】
【図１】従来のマトリックス状に配列された放電セル構造を有する３電極交流面放電型ＰＤＰの構造を示す斜視図である。
【図２】従来のＰＤＰの駆動方法を説明するための駆動波形を示す図である。
【図３】従来のＰＡＬ方式におけるプラズマディスプレイパネルの画像を具現するためのサブフィールドの配列を説明するための図である。
【図４】従来のプラズマディスプレイパネルの画像階調を具現する方法を示す図である。
【図５】本発明の第１の実施例に係るプラズマディスプレイ装置を示す図である。
【図６】本発明の第１の実施例に係るプラズマディスプレイ装置の駆動方法を説明するための図である。
【図７】本発明の第１の実施例においてフレーム内に含まれたサブフィールドの加重値配列を示す図である。
【図８】本発明の第２の実施例に係るプラズマディスプレイ装置を示す図である。
【図９】本発明の第２の実施例に係るプラズマディスプレイ装置の駆動方法を説明するための図である。
【図１０】本発明の第３の実施例に係るプラズマディスプレイ装置を示す図である。
【図１１】本発明の第３の実施例に係るプラズマディスプレイ装置の駆動方法を説明するための図である。
【図１２】本発明の第４の実施例に係るプラズマディスプレイ装置を示す図である。
【図１３】本発明の第４の実施例に係るプラズマディスプレイ装置の駆動方法を説明するための図である。
【図１４】本発明の第５の実施例に係るプラズマディスプレイ装置を示す図である。
【図１５】本発明の第５の実施例に係るプラズマディスプレイ装置の駆動方法を説明するための図である。
【図１】
2006301571.tif 000003
【図２】
2006301571.tif 000004
【図３】
2006301571.tif 000005
【図４】
2006301571.tif 000006
【図５】
2006301571.tif 000007
【図６】
2006301571.tif 000008
【図７】
2006301571.tif 000009
【図８】
2006301571.tif 000010
【図９】
2006301571.tif 000011
【図１０】
2006301571.tif 000012
【図１１】
2006301571.tif 000013
【図１２】
2006301571.tif 000014
【図１３】
2006301571.tif 000015
【図１４】
2006301571.tif 000016
【図１５】
2006301571.tif 000017